【手続補正書】
【提出日】平成27年4月21日(2015.4.21)
【手続補正１】
【補正対象書類名】特許請求の範囲
【補正対象項目名】全文
【補正方法】変更
【補正の内容】
【特許請求の範囲】
【請求項１】
周縁部で囲まれており、第１の面および第２の面を画定するコネクタプレート本体と、
第１面を画定する前記第１の表面から外側に、かつ、前記第１の表面に対して略平行に延び、前記第１面の前記第１の表面から伸びる第１の一対の脚部を有する第１水平部と、前記第１面の前記第１表面に第１のチャネルを画定する第１のブリッジ部分と、
前記第１面を画定する前記第１の表面から外側に、かつ、前記第１の表面に対して略平行に延び、前記第１面の前記第１の表面から伸びる第２の一対の脚部を有する第２水平部と、前記第１面の前記第１表面に第２のチャネルを画定する第２のブリッジ部分と、
を備えるコネクタプレートであって、
前記第１および第２のチャネルは、バッグの第１の持ち運び用ストラップを受ける第１の通路と、前記バッグの第２の持ち運び用ストラップを受ける第２の通路を、前記第１の通路が前記第２の通路に対して横断する向きにあるように形成する横断空間とを画定し、
前記第１および第２のブリッジ部分は、前記コネクタプレート本体の前記周縁部よりも内側で延び、前記コネクタプレート本体の前記周縁部の一部に形成されていないる、コネクタプレート。
【請求項２】
前記第１の通路は、前記コネクタプレートに沿った縦軸を画定し、前記第２の通路は、前記コネクタプレートに沿った横軸を画定し、前記縦軸は前記横軸に対して横断する向きにある、請求項１に記載のコネクタプレート。
【請求項３】
前記第１および第２のブリッジ部分は、実質的に互いに平行である、請求項１又は２に記載のコネクタプレート。
【請求項４】
バッグ用の自己調整式持ち運び用ストラップシステムであって、
第１の持ち運び用ストラップと、
第２の持ち運び用ストラップと、
コネクタプレートを備え、
前記コネクタプレートは、
周縁部で囲まれており、後面および第１面を画定する前面を有するコネクタプレート本体と、
前記第１面を画定する前記前面から外側に延び、かつ、前記前面に対して略平行に延び、前記第１面の前記前面から伸びる第１の一対の脚部を有する第１水平部と、前記第１面の前記前面に第１のチャネルを画定する第１のブリッジ部分と、
前記第１面を画定する前記前面から外側に延び、かつ、前記前面に対して略平行に延び、前記第１面の前記前面から伸びる第２の一対の脚部を有する第２水平部と、前記第１面の前記前面に第２のチャネルを画定する第２のブリッジ部分と、
前記第１の平面に隣接する、または第１の平面近傍の前記第１のブリッジ部分と前記第２のブリッジ部分との間で画定される横断空間と、を備え、
前記第１のブリッジ部分および前記第２のブリッジ部分は、前記第１の持ち運び用ストラップを受け、
前記横断空間は、前記第１の持ち運び用ストラップが前記第２の持ち運び用ストラップを覆うように前記第２の持ち運び用ストラップを受け、
前記第１および第２のブリッジ部分は、前記コネクタプレート本体の前記周縁部よりも内側で延び、前記コネクタプレート本体の前記周縁部の一部に形成されていない
自己調整式持ち運び用ストラップシステム。
【請求項５】
前記第１の持ち運び用ストラップは、前記コネクタプレートと係合されるときに、前記第１のチャネルおよび前記第２のチャネルに挿入される、請求項４に記載のシステム。
【請求項６】
前記第１の持ち運び用ストラップは、前記コネクタプレートと係合させる際に、前記第１のチャネルと前記第２のチャネルとに挿入され、
前記第１および第２のチャネルは、前記第１の持ち運び用ストラップを受ける、縦軸に沿った第１の通路を画定するように並び、前記横断空間は、前記第２の持ち運び用ストラップを受ける、横軸に沿った第２の通路を画定する、請求項４又は５に記載のシステム。
【請求項７】
前記バッグには、ゴルフバッグ、工具バッグ、ブックバッグ、バックパック、ダッフルバッグ、コンピュータバッグ、スーツケース、またはリュックサックのうちの少なくとも１つが含まれる、請求項４から６のいずれか一項に記載のシステム。
【請求項８】
前記第１および第２の持ち運び用ストラップは、前記コネクタプレートに沿って互いに重なり、運んでいるときにゴルフバックが動いた場合に、手を使わなくても互いに対して移動する、請求項４から７のいずれか一項に記載のシステム。
【請求項９】
前記コネクタプレートは、第１の辺、第２の辺、第３の辺、および第４の辺を画定し、前記第１の辺および第２の辺の長さは実質的に等しく、前記第３の辺および第４の辺の長さは実質的に等しい、請求項４から８のいずれか一項に記載のシステム。
【請求項１０】
前記コネクタプレートは、第１の辺、第２の辺、第３の辺、および第４の辺を画定し、前記第１の辺および第２の辺の長さは実質的に等しく、前記第３の辺および第４の辺の長さは実質的に等しく、
前記第１の辺および第２の辺は、それぞれ前記第３の辺および第４の辺と比較して長さが長い、請求項４から８のいずれか一項に記載のシステム。
【請求項１１】
１つまたは複数のゴルフクラブを受け入れるチャンバと連通する開口を画定する第１の上側部分を有する細長い本体と、
前記細長い本体の第１の部分に連結されたそれぞれの第１の端部部分と、前記細長い本体の第２の部分に連結されたそれぞれの第２の端部部分とを有する第１の持ち運び用ストラップおよび第２の持ち運び用ストラップであって、前記第１の持ち運び用ストラップが前記第２の持ち運び用ストラップを覆う、第１および第２の持ち運び用ストラップと、
第１の表面と第２の表面とを画定し、周縁部で囲まれており、第１のブリッジ部分および第２のブリッジ部分を含む本体を有するコネクタプレートであって、第１のブリッジ部分は、第１面を画定する前記第１の表面から外側に、かつ、前記第１の表面に対して略平行に延び、前記第１面の前記第１の表面から伸びる第１の一対の脚部を有する第１水平部と、前記第１面の前記第１表面に第１のチャネルを画定し、第２のブリッジ部分は、前記第１面を画定する前記第１の表面から外側に、かつ、前記第１の表面に対して略平行に延び、前記第１面の前記第１の表面から伸びる第２の一対の脚部を有する第２水平部と、前記第１面の前記第１表面に第２のチャネルを画定し、前記第１のブリッジ部分および第２のブリッジ部分は、前記第１の持ち運び用ストラップを受ける第１の通路と、前記第２の持ち運び用ストラップを受ける第２の通路を、前記第１の通路が前記第２の通路に対して横断する向きにあるように形成する、前記第１および第２のブリッジ部分間に画定される横断空間とを画定し、前記第１および第２のブリッジ部分は、前記コネクタプレート本体の前記周縁部よりも内側で延び、前記コネクタプレート本体の前記周縁部の一部に形成されていない、コネクタプレートと、
を備えるバッグ。
【請求項１２】
前記第１の持ち運び用ストラップは、互いに対して横断する向きで、前記第２の持ち運び用ストラップを覆う、請求項１１に記載のバッグ。
【請求項１３】
前記第１の通路は、前記コネクタプレートに沿った縦軸を画定し、前記第２の通路は、前記コネクタプレートに沿った横軸を画定し、前記コネクタプレートにおいて、前記縦軸は前記横軸に対して横断する向きにある、請求項１１又は１２に記載のバッグ。
【請求項１４】
前記第１の通路および前記第２の通路は、前記コネクタプレートの前記本体によって画定される第１の平面に隣接する、または第１の平面近傍にある、請求項１１から１３のいずれか一項に記載のバッグ。
【請求項１５】
前記第１の持ち運び用ストラップおよび前記第２の持ち運び用ストラップは、手を使わなくても自動調整可能なように、横断する向きに互いに対して移動する、請求項１１から１４のいずれか一項に記載のバッグ。
【請求項１６】
前記第１のブリッジ部分および前記第２のブリッジ部分はそれぞれ、前記第１のブリッジ部分と前記第２のブリッジ部分との間で画定される第２の長さと実質的に同じである第１の長さを画定する、請求項１１から１５のいずれか一項に記載のバッグ。
【請求項１７】
前記第１の長さおよび前記第２の長さは、それぞれ２５ｍｍ〜３５ｍｍの範囲である、請求項１６に記載のバッグ。
【請求項１８】
前記コネクタプレートは、前記第１のブリッジ部分とつながった第１のチャネルと、前記第２のブリッジ部分とつながった第２のチャネルとを含む、請求項１１から１７のいずれか一項に記載のバッグ。
【請求項１９】
前記第１および第２のブリッジ部分は、実質的に互いに平行である、請求項１１から１８のいずれか一項に記載のバッグ。
【請求項２０】
前記第１のチャネルおよび前記第２のチャネルは縦軸に沿って一列に整列する、請求項１１から１９のいずれか一項に記載のバッグ。
【請求項２１】
前記第１の持ち運び用ストラップ、または前記第２の持ち運び用ストラップのうちの少なくとも一方は、前記細長い本体の移動に応じて自動調整するように構成される、請求項１１から２０のいずれか一項に記載のバッグ。
【請求項２２】
前記第１の持ち運び用ストラップ、または前記第２の持ち運び用ストラップのうちの少なくとも一方は肩パッドを備える、請求項１１から２１のいずれか一項に記載のバッグ。
【請求項２３】
前記第１の持ち運び用ストラップは、前記細長い本体の第１の部分と係合する近位部分と、前記細長い本体の第２の部分と係合する遠位部分とを画定し、前記第２の持ち運び用ストラップは、前記細長い本体の前記第１の部分と係合する近位部分と、前記細長い本体の前記第２の部分と係合する遠位部分とを画定し、前記第１の持ち運び用ストラップは前記第２の持ち運び用ストラップを覆う、請求項１１から２２のいずれか一項に記載のバッグ。
【請求項２４】
前記第１の持ち運び用ストラップは、前記第１のブリッジ部分および前記第２のブリッジ部分内に配置される、請求項１１から２３２７のいずれか一項に記載のバッグ。
【請求項２５】
調整可能な持ち運び用ストラップシステムを有するゴルフバッグを製造する方法であって、
上側部分および下側部分を有する管状の細長い本体を形成することと、
第１の近位部分および第１の遠位部分を有する細長いストラップ本体を画定する第１の持ち運び用ストラップを形成することと、
第２の近位部分および第２の遠位部分を有する第２の細長い本体を画定する第２の持ち運び用ストラップを形成することと、
第１の表面と第２の表面とを画定し、周縁部で囲まれており、第１のブリッジ部分と第２のブリッジ部分とを含む本体を有するコネクタプレートを形成し、第１のブリッジ部分は、第１面を画定する前記第１の表面から外側に、かつ、前記第１の表面に対して略平行に延び、前記第１面の前記第１の表面から伸びる第１の一対の脚部を有する第１水平部と、前記第１面の前記第１表面に第１のチャネルを画定し、第２のブリッジ部分は、前記第１の表面から外側に、かつ、前記第１の表面に対して略平行に延び、前記第１面の前記第１の表面から伸びる第２の一対の脚部を有する第２水平部と、前記第１面の前記第１表面に第２のチャネルを画定し、第１のブリッジ部分および第２のブリッジ部分は、前記第１の持ち運び用ストラップを受けるように構成された第１の通路と、前記第２の持ち運び用ストラップを受けるように構成された第２の通路を、前記第１の通路が前記第２の通路に対して横断する向きにあるように形成する、前記第１および第２のブリッジ部分間に画定される横断空間とを共同して画定し、前記第１および第２の持ち運び用ストラップが、横断する向きで互いに重なっており、前記第１および第２のブリッジ部分は、前記コネクタプレート本体の前記周縁部よりも内側で延び、前記コネクタプレート本体の前記周縁部の一部に形成されていないことと、
を備える方法。
【請求項２６】
前記コネクタプレートを形成することには、前記第１および第２のブリッジ部分が実質的に互いに平行であるように前記第１および第２のブリッジ部分を形成することが含まれる、請求項２５に記載の方法。
【請求項２７】
前記第２の持ち運び用ストラップを前記第１の通路に沿って配置し、前記第１の持ち運び用ストラップが前記第２の通路に沿って配置されるように、前記第１の持ち運び用ストラップを前記第１および第２のチャネルに挿入することをさらに備える、請求項２５又は２６に記載の方法。
【請求項２８】
前記第１の持ち運び用ストラップの前記第１の近位部分を前記管状の細長い本体の前記上側部分に取り付け、前記第１の遠位部分を前記管状の細長い本体の前記下側部分に取り付けることをさらに備える、請求項２５から２７のいずれか一項に記載の方法。
【請求項２９】
前記第２の持ち運び用ストラップの前記第２の近位部分を前記管状の細長い本体の前記上側部分に取り付け、前記第２の遠位部分を前記管状の細長い本体の前記下側部分に取り付けることをさらに備える、請求項２５から２８のいずれか一項に記載の方法。
【手続補正２】
【補正対象書類名】明細書
【補正対象項目名】００３１
【補正方法】変更
【補正の内容】
【００３１】
特定の実施形態が、図示および説明されたが、当業者には明らかなように、本発明の趣旨および範囲から逸脱することなく様々な修正を行うことができるのは、前述から当然のことである。そのような変更および修正は、添付の特許請求の範囲で定義された本発明の範囲および教示の範囲内である。
以下に本実施例の特徴を列挙する。
（特徴１）
第１の面および第２の面を画定するコネクタプレート本体と、
前記第１の面から延び、第１のチャネルを画定する第１のブリッジ部分と、
前記第２の面から延び、第２のチャネルを画定する第２のブリッジ部分と、
を備えるコネクタプレートであって、
前記第１および第２のチャネルは、バッグの第１の持ち運び用ストラップを受ける第１の通路と、前記バッグの第２の持ち運び用ストラップを受ける第２の通路を、前記第１の通路が前記第２の通路に対して横断する向きにあるように形成する横断空間とを画定する、コネクタプレート。
（特徴２）
前記第１の通路は、前記コネクタプレートに沿った縦軸を画定し、前記第２の通路は、前記コネクタプレートに沿った横軸を画定し、前記縦軸は前記横軸に対して横断する向きにある、特徴１に記載のコネクタプレート。
（特徴３）
前記第１および第２のブリッジ部分は、実質的に互いに平行である、特徴１に記載のコネクタプレート。
（特徴４）
コネクタプレート本体を含むコネクタプレートであって、コネクタプレート本体は、
中央部分と、
前記中央部分から延び、第１のスロットを画定する第１の隆起部分と、
前記中央部分から延び、第２のスロットを画定する第２の隆起部分と、
を備え、
前記第１のスロットおよび前記第２のスロットは、バッグの第１の持ち運び用ストラップを受ける第１の通路を画定し、前記第１の隆起部分および前記第２の隆起部分は、前記バッグの第２の持ち運び用ストラップを受ける第２の通路を、前記第１の通路が前記第２の通路と交差するように形成する横断空間を画定する、コネクタプレート。
（特徴５）
前記第１の通路は、前記コネクタプレートに沿った縦軸を画定し、前記第２の通路は、前記コネクタプレートに沿った横軸を画定し、前記縦軸は前記横軸に対して横断する向きにある、特徴４に記載のコネクタプレート。
（特徴６）
前記第２の持ち運び用ストラップは、前記第１の隆起部分と前記第２の隆起部分との間に画定された前記横断空間の範囲内で位置を変えることができる、特徴５に記載のコネクタプレート。
（特徴７）
前記第１の隆起部分および前記第２の隆起部分は、実質的に互いに平行である、特徴４に記載のコネクタプレート。
（特徴８）
バッグ用の自己調整式持ち運び用ストラップシステムであって、
第１の持ち運び用ストラップと、
第２の持ち運び用ストラップと、
後面および前面を有するコネクタプレート本体を含むコネクタプレートであって、前記前面は、第１の平面に隣接する、または第１の平面近傍の第１のブリッジ部分および第２のブリッジ部分と、前記第１の平面に隣接する、または第１の平面近傍の前記第１のブリッジ部分と前記第２のブリッジ部分との間で画定される横断空間とを画定し、前記第１のブリッジ部分および前記第２のブリッジ部分は、前記第１の持ち運び用ストラップを受け、前記横断空間は、前記第１の持ち運び用ストラップが前記第２の持ち運び用ストラップを覆うように前記第２の持ち運び用ストラップを受ける、コネクタプレートと、
を備える自己調整式持ち運び用ストラップシステム。
（特徴９）
前記第１のブリッジ部分は、第１のチャネルを画定し、前記第２のブリッジ部分は、第２のチャネルを画定し、前記第１の持ち運び用ストラップは、前記コネクタプレートと係合されるときに、前記第１のチャネルおよび前記第２のチャネルに挿入される、特徴８に記載のシステム。
（特徴１０）
前記第１および第２のチャネルは、前記第１の持ち運び用ストラップを受ける、縦軸に沿った第１の通路を画定するように並び、前記横断空間は、前記第２の持ち運び用ストラップを受ける、横軸に沿った第２の通路を画定する、特徴９に記載のシステム。
（特徴１１）
前記バッグには、ゴルフバッグ、工具バッグ、ブックバッグ、バックパック、ダッフルバッグ、コンピュータバッグ、スーツケース、またはリュックサックのうちの少なくとも１つが含まれる、特徴８に記載のシステム。
（特徴１２）
前記第１および第２の持ち運び用ストラップは、前記コネクタプレートに沿って互いに重なり、運んでいるときにゴルフバックが動いた場合に、手を使わなくても互いに対して移動する、特徴８に記載のシステム。
（特徴１３）
前記コネクタプレートは、第１の辺、第２の辺、第３の辺、および第４の辺を画定し、前記第１の辺および第２の辺の長さは実質的に等しく、前記第３の辺および第４の辺の長さは実質的に等しい、特徴８に記載のシステム。
（特徴１４）
前記第１の辺および第２の辺は、それぞれ前記第３の辺および第４の辺と比較して長さが長い、特徴１３に記載のシステム。
（特徴１５）
１つまたは複数のゴルフクラブを受け入れるチャンバと連通する開口を画定する第１の上側部分を有する細長い本体と、
前記細長い本体の第１の部分に連結されたそれぞれの第１の端部部分と、前記細長い本体の第２の部分に連結されたそれぞれの第２の端部部分とを有する第１の持ち運び用ストラップおよび第２の持ち運び用ストラップであって、前記第１の持ち運び用ストラップが前記第２の持ち運び用ストラップを覆う、第１および第２の持ち運び用ストラップと、
第１のブリッジ部分および第２のブリッジ部分を含む本体を有するコネクタプレートであって、第１のブリッジ部分および第２のブリッジ部分は、前記第１の持ち運び用ストラップを受ける第１の通路と、前記第２の持ち運び用ストラップを受ける第２の通路を、前記第１の通路が前記第２の通路に対して横断する向きにあるように形成する、前記第１および第２のブリッジ部分間に画定される横断空間とを画定する、コネクタプレートと、
を備えるバッグ。
（特徴１６）
前記第１の持ち運び用ストラップは、互いに対して横断する向きで、前記第２の持ち運び用ストラップを覆う、特徴１５に記載のバッグ。
（特徴１７）
前記第１の通路は、前記コネクタプレートに沿った縦軸を画定し、前記第２の通路は、前記コネクタプレートに沿った横軸を画定し、前記コネクタプレートにおいて、前記縦軸は前記横軸に対して横断する向きにある、特徴１５に記載のバッグ。
（特徴１８）
前記第１の通路および前記第２の通路は、前記コネクタプレートの前記本体によって画定される第１の平面に隣接する、または第１の平面近傍にある、特徴１５に記載のバッグ。
（特徴１９）
前記第１の持ち運び用ストラップおよび前記第２の持ち運び用ストラップは、手を使わなくても自動調整可能なように、横断する向きに互いに対して移動する、特徴１５に記載のバッグ。
（特徴２０）
前記第１のブリッジ部分および前記第２のブリッジ部分はそれぞれ、前記第１のブリッジ部分と前記第２のブリッジ部分との間で画定される第２の長さと実質的に同じである第１の長さを画定する、特徴１５に記載のバッグ。
（特徴２１）
前記第１の長さおよび前記第２の長さは、それぞれ２５ｍｍ〜３５ｍｍの範囲である、特徴２０に記載のバッグ。
（特徴２２）
前記コネクタプレートは、前記第１のブリッジ部分とつながった第１のチャネルと、前記第２のブリッジ部分とつながった第２のチャネルとを含む、特徴１５に記載のバッグ。
（特徴２３）
前記第１および第２のブリッジ部分は、実質的に互いに平行である、特徴１５に記載のバッグ。
（特徴２４）
前記第１のチャネルおよび前記第２のチャネルは縦軸に沿って一列に整列する、特徴１５に記載のバッグ。
（特徴２５）
前記第１の持ち運び用ストラップ、または前記第２の持ち運び用ストラップのうちの少なくとも一方は、前記細長い本体の移動に応じて自動調整するように構成される、特徴１５に記載のバッグ。
（特徴２６）
前記第１の持ち運び用ストラップ、または前記第２の持ち運び用ストラップのうちの少なくとも一方は肩パッドを備える、特徴１５に記載のバッグ。
（特徴２７）
前記第１の持ち運び用ストラップは、前記細長い本体の第１の部分と係合する近位部分と、前記細長い本体の第２の部分と係合する遠位部分とを画定し、前記第２の持ち運び用ストラップは、前記細長い本体の前記第１の部分と係合する近位部分と、前記細長い本体の前記第２の部分と係合する遠位部分とを画定し、前記第１の持ち運び用ストラップは前記第２の持ち運び用ストラップを覆う、特徴１５に記載のバッグ。
（特徴２８）
前記第１の持ち運び用ストラップは、前記第１のブリッジ部分および前記第２のブリッジ部分内に配置される、特徴１５に記載のバッグ。
（特徴２９）
調整可能な持ち運び用ストラップシステムを有するゴルフバッグを製造する方法であって、
上側部分および下側部分を有する管状の細長い本体を形成することと、
第１の近位部分および第１の遠位部分を有する細長いストラップ本体を画定する第１の持ち運び用ストラップを形成することと、
第２の近位部分および第２の遠位部分を有する第２の細長い本体を画定する第２の持ち運び用ストラップを形成することと、
第１のチャネルを画定する第１のブリッジ部分と第２のチャネルを画定する第２のブリッジ部分とを含む本体を有するコネクタプレートを形成し、第１のブリッジ部分および第２のブリッジ部分は、前記第１の持ち運び用ストラップを受けるように構成された第１の通路と、前記第２の持ち運び用ストラップを受けるように構成された第２の通路を、前記第１の通路が前記第２の通路に対して横断する向きにあるように形成する、前記第１および第２のブリッジ部分間に画定される横断空間とを共同して画定し、前記第１および第２の持ち運び用ストラップが、横断する向きで互いに重なることと、
を備える方法。
（特徴３０）
前記コネクタプレートを形成することには、前記第１および第２のブリッジ部分が実質的に互いに平行であるように前記第１および第２のブリッジ部分を形成することが含まれる、特徴２９に記載の方法。
（特徴３１）
前記第２の持ち運び用ストラップを前記第１の通路に沿って配置し、前記第１の持ち運び用ストラップが前記第２の通路に沿って配置されるように、前記第１の持ち運び用ストラップを前記第１および第２のチャネルに挿入することをさらに備える、特徴２９に記載の方法。
（特徴３２）
前記第１の持ち運び用ストラップの前記第１の近位部分を前記管状の細長い本体の前記上側部分に取り付け、前記第１の遠位部分を前記管状の細長い本体の前記下側部分に取り付けることをさらに備える、特徴２９に記載の方法。
（特徴３３）
前記第２の持ち運び用ストラップの前記第２の近位部分を前記管状の細長い本体の前記上側部分に取り付け、前記第２の遠位部分を前記管状の細長い本体の前記下側部分に取り付けることをさらに備える、特徴２９に記載の方法。